(57)【要約】【課題】  側壁の近傍までアダプタを配置することができ、しかも光ファイバ接続の作業性を低下させるおそれのない光ファイバ配線ユニットを提供する。【解決手段】  ラック４に収納される箱状本体１の内部に、多数のアダプタ１４が配置されたアダプタパネル１０を立設する。アダプタパネル１０に臨む箱状本体１の側壁２に、配線作業用孔１５を形成し、アダプタ１４への配線作業を容易化する。箱状本体１を本体部６と本体部６から引出し可能な引出部７とからなるものとし、引出部７の側壁２に配線作業用孔１５を形成することができる。【選択図】    図３
2005037819.tif 000002
【特許請求の範囲】
【請求項１】
ラックに収納される箱状本体の内部に、多数のアダプタが配置されたアダプタパネルを立設するとともに、このアダプタパネルに臨む箱状本体の側壁に、配線作業用孔を形成したことを特徴とする光ファイバ配線ユニット。
【請求項２】
配線作業用孔をアダプタパネルの前後に形成した請求項１に記載の光ファイバ配線ユニット。
【請求項３】
箱状本体を、本体部とこの本体部から引出し可能な引出部とからなるものとし、引出部の側壁に配線作業用孔を形成した請求項１または２記載の光ファイバ配線ユニット。
【発明の詳細な説明】
【技術分野】
【０００１】
本発明は、ラック内に収納される光ファイバ配線ユニットに関するものである。
【背景技術】
【０００２】
光ファイバを用いた通信機器などを収納するラック内には、機器ユニットのほかに光ファイバ配線ユニットが収納されることがある。この光ファイバ配線ユニットは、機器ユニットに接続された多数の光ファイバの余長を収納する機能と、外部入出力用の光ファイバの接続機能とを有するものである。
【０００３】
光ファイバ配線ユニットはラック内に収納される箱状本体の内部に、光ファイバの余長収納部と、光ファイバ接続用のアダプタとを設けたものが一般的である。アダプタは箱状本体の内部に立設された垂直なアダプタパネルに多数個設けられている。一方、配線される光ファイバの端部にはコネクタが設けられており、これらのコネクタをアダプタに差し込むことにより、光ファイバの配線が行われる。
【０００４】
ところが、アダプタはアダプタパネルに多数個設けられているため、ラックの正面から手を入れて配線作業をする際に、箱状本体の左右側壁付近のアダプタに対しては側壁が邪魔になって指が入りにくく、光ファイバ接続の作業性が非常に悪くなる。そこで従来は側壁の近傍にはアダプタを配置せず、中央部だけにアダプタを配置していたのであるが、その場合にはアダプタの配置可能数が制限されてしまうという問題があった。
【０００５】
また特許文献１に示すように、作業性を考慮してアダプタパネルを箱状本体の前面に設けた光ファイバ配線ユニットもあるが、この場合にはアダプタパネルの前面側には光ファイバの収納スペースがないため、アダプタパネル前面側の光ファイバの余長が取れないものであった。
【０００６】
なお、箱状本体の側壁は光ファイバの余長部が光ファイバ配線ユニットの外部に飛び出すことを防止するとともに、収納状態における防塵性を確保するうえで不可欠のものであるため、アダプタへの光ファイバ接続作業の邪魔になるからといって、なくすることは不可能な部材である。
【０００７】
【特許文献１】特開２０００−２７５４４７号公報
【発明の開示】
【発明が解決しようとする課題】
【０００８】
本発明は上記した従来の問題点を解決して、箱状本体左右の側壁の近傍までアダプタを配置することができ、しかも光ファイバ接続の作業性を低下させるおそれのない光ファイバ配線ユニットを提供するためになされたものである。
【課題を解決するための手段】
【０００９】
上記の課題を解決するためになされた本発明の光ファイバ配線ユニットは、ラックに収納される箱状本体の内部に、多数のアダプタが配置されたアダプタパネルを立設するとともに、このアダプタパネルに臨む箱状本体の側壁に、配線作業用孔を形成したことを特徴とするものである。この配線作業用孔をアダプタパネルの前後に形成することができる。また箱状本体を、本体部とこの本体部から引出し可能な引出部とからなるものとし、引出部の側壁に配線作業用孔を形成した構造とすることもできる。
【発明の効果】
【００１０】
本発明の光ファイバ配線ユニットは、アダプタパネルに臨む箱状本体の側壁に配線作業用孔を形成したものであるので、アダプタパネルの側壁に近い位置に設けられたアダプタに対して光ファイバを接続する場合にも指が側壁に当たることがなく、また側壁の配線作業用孔から指を入れて作業を行うこともできるので、光ファイバ接続の作業性が低下することがない。しかも箱状本体左右の側壁の近傍までアダプタを配置することができるので、アダプタの配置可能数を十分に確保することができる。
【００１１】
また、配線作業用孔をアダプタパネルの前後に形成すれば、アダプタパネルの前後いずれの側からの接続作業も容易となる。さらに、箱状本体を本体部とこの本体部から引出し可能な引出部とからなるものとし、引出部の側壁に配線作業用孔を形成した構造とすれば、収納状態では側壁の配線作業用孔は本体部の側壁により完全に封鎖されることとなり、光ファイバの余長部が光ファイバ配線ユニットの外部に飛び出すことを防止する機能や、収納状態における内部の防塵機能を確保するうえで有利である。
【発明を実施するための最良の形態】
【００１２】
図１と図２は本発明の光ファイバ配線ユニットをラックに取り付けた状態を示す水平断面図であり、１は箱状本体、２はその左右の側壁である。箱状本体１はブラケット３により、ラック４のマウントフレーム５に取り付けられている。
【００１３】
図３に示すように、光ファイバ配線ユニットの箱状本体１は、本体部６とこの本体部６から引出し可能な引出部７とからなる引出し型とすることが好ましい。本体部６はブラケット３により、ラック４のマウントフレーム５に取り付けられる。引出部７の側壁２の上部には水平方向にスリット８が形成されており、本体部６の対応部分に形成された内側突起９が係合するようになっている。この構造によって、引出部７を本体部６から円滑に引き出すことが可能である。図１は収納状態を、図２は引き出し状態を示している。
【００１４】
引出部７の内部にはアダプタパネル１０が前面パネル１１と平行に立設されており、引出部７の内部を前方部分と後方部分とに区画している。これらの各部分には光ファイバ１２を固定するための多数のクランプ部材１３が配置されており、光ファイバ配線ユニット内部において光ファイバ１２の余長部分をクランプできるようになっている。このようにアダプタパネル１０の前後両側にクランプ部材１３を配置することにより、アダプタパネル１０の後面のみならず、前面側の光ファイバ１２についても余長を取ることができる。
【００１５】
アダプタパネル１０には、多数のアダプタ１４が配置されている。前記したように、アダプタ１４は光ファイバ１２の端部のコネクタを差し込むことにより配線を行うための部材である。この実施形態ではアダプタ１４はアダプタパネル１０の前後両面に配置され、両側から光ファイバ１２の接続が可能となっている。図３に示すように、アダプタ１４は側壁２に近い部分まで配置されている。
【００１６】
このように側壁２に近い部分まで配置されたアダプタ１４への配線作業を容易化するために、本発明ではアダプタパネル１０に臨む箱状本体１の側壁２に、配線作業用孔１５を形成した。図３の実施形態では配線作業用孔１５はアダプタパネル１０の前後両側に形成されており、後方側の配線作業用孔１５はスリット８に繋がっている。
【００１７】
このようにアダプタパネル１０に臨む側壁２に配線作業用孔１５を形成しておけば、側壁付近のアダプタ１４に対して光ファイバ１２を接続する際にも指が当たることがなく、配線作業性を高めることができる。また配線作業用孔１５をアダプタパネル１０の前後両側に形成することにより、いずれの側からの接続作業も容易となる。
【００１８】
図４〜図８は側壁２に形成された配線作業用孔１５の各種態様を示す図である。図４では配線作業用孔１５はアダプタパネル１０の前側のみに形成され、かつその上端はスリット８に繋がっている。図５は配線作業用孔１５の上端を開口させた例を示す。図６は配線作業用孔１５をアダプタパネル１０の直近位置まで形成した例を示す。図７は配線作業用孔１５をアダプタパネル１０の後側のみに形成した例を示す。図８は図３と同じであり、配線作業用孔１５はアダプタパネル１０の前後両側に形成されている。
【００１９】
上記のように、配線作業用孔１５をアダプタパネル１０に臨む側壁２に形成したことにより、側壁２に近い部分に配置されたアダプタ１４に対しても配線作業が容易となる。このためアダプタパネル１０に配置されるアダプタ１４の数を、配線作業用孔１５のなかった従来よりも増加させることができる。
【００２０】
以上に説明した引出し型の箱状本体１は、図９にＡタイプとして示すように引出部７の側壁２のみに配線作業用孔１５を形成し、本体部６の側壁には孔を形成していない。このＡタイプでは引出部７を本体部６に収納した状態（図１の状態）においては配線作業用孔１５が本体部６の側壁によって封鎖され、防塵性に優れる利点がある。一方、図９にＢタイプとして示すように本体部６の側壁にも開口部１６を形成することができる。このＢタイプは収納状態においても側壁２が開口するため防塵性の点では劣るが、収納状態のままでも配線作業が行える利点がある。
【００２１】
なお、図９に示したように箱状本体１の前面パネル１１はその下部のヒンジ１７を中心として開閉可能とし、前面からの配線作業ができるようにしておくことが好ましい。配線作業の完了後は、ホールドラッチ１８により引出部７を収納状態に保持させる。
【００２２】
以上の実施形態の説明では、箱状本体１を引出し型のものとして説明した。しかし箱状本体１が引出し型であることは本発明の必須要件ではなく、箱状本体１を固定型としても差し支えない。
【産業上の利用可能性】
【００２３】
本発明の光ファイバ配線ユニットは、光ファイバを用いた通信機器などを収納するラック内に設置し、光ファイバの余長部分を保護するとともに、アダプタを利用した光ファイバ配線の作業性を高めるうえで有効である。
【図面の簡単な説明】
【００２４】
【図１】本発明の光ファイバ配線ユニットをラックに取り付けた状態を示す水平断面図である。
【図２】引出し状態を示す水平断面図である。
【図３】実施形態の箱状本体の三面図である。
【図４】配線作業用孔の変形例を示す正面図である。
【図５】配線作業用孔の変形例を示す正面図である。
【図６】配線作業用孔の変形例を示す正面図である。
【図７】配線作業用孔の変形例を示す正面図である。
【図８】配線作業用孔の変形例を示す正面図である。
【図９】引出し型の箱状本体のＡ、Ｂ２タイプを示す正面図である。
【符号の説明】
【００２５】
１  箱状本体
２  側壁
３  ブラケット
４  ラック
５  マウントフレーム
６  本体部
７  引出部
８  スリット
９  内側突起
１０  アダプタパネル
１１  前面パネル
１２  光ファイバ
１３  クランプ部材
１４  アダプタ
１５  配線作業用孔
１６  開口部
１７  ヒンジ
１８  ホールドラッチ
【図１】
2005037819.tif 000003
【図２】
2005037819.tif 000004
【図３】
2005037819.tif 000005
【図４】
2005037819.tif 000006
【図５】
2005037819.tif 000007
【図６】
2005037819.tif 000008
【図７】
2005037819.tif 000009
【図８】
2005037819.tif 000010
【図９】
2005037819.tif 000011